(57)【要約】【課題】軽量で強靭なプラスチック製の標識具を提供する。【解決手段】前後一組のプラスチック製の表示板１Ａ・１Ｂを有する。前後の表示板１Ａ・１Ｂは、表示板本体６の上端の左右に分割ヒンジ部７ａ・７ｂが形成されており、同一の成形金型でブロー成形される。両表示板１Ａ・１Ｂは、背中合わせにした状態で左右の分割ヒンジ部７ａ・７ｂを介して開閉自在に枢結されている。両表示板１Ａ・１Ｂの両分割ヒンジ部７ａ・７ｂ間には、凹み１０が形成されており、この凹み１０に把手３が設けられている。【選択図】        図１
2004257018.tif 000002
【特許請求の範囲】
【請求項１】
前後一組のプラスチック製の表示板１Ａ・１Ｂを有し、
前後の表示板１Ａ・１Ｂは、表示板本体６の上端の左右に分割ヒンジ部７ａ・７ｂが形成されていて、同一の成形金型で中空状にブロー成形されており、
両表示板１Ａ・１Ｂは、背中合わせにした状態で左右のヒンジ部７ａ・７ｂを介して開閉自在に枢結されており、
両表示板１Ａ・１Ｂの両ヒンジ部７ａ・７ｂ間に凹み１０が形成されており、
この凹み１０に把手３が設けられていることを特徴とする標識具。
【請求項２】
前後一組のプラスチック製の表示板１Ａ・１Ｂと、
両表示板１Ａ・１Ｂどうしを上端において開閉自在に枢結する枢軸２と、
少なくとも一方の表示板１Ａの外面に施されるべき標識５とを含み、
前後の各表示板１Ａ・１Ｂは、左右横長の四角形に形成された表示板本体６と、
表示板本体６の上方の左右端部から上向きに突設された分割ヒンジ部７ａ・７ｂと、
左右の分割ヒンジ部７ａ・７ｂの上端に左右に並べて設けた水平状の軸筒９ａ・９ｂと、
左右の分割ヒンジ部７ａ・７ｂ間に形成された凹み１０と、
この凹み１０において、表示板本体６の上端の左右の一側方から上向きに立ち上がる基部１２、および基部１２の上端から左右の他側方へ片持ち状に延びる握り部１３を有する分割把手１１とを含み、
前後の各表示板１Ａ・１Ｂが、表示板本体６、軸筒９ａ・９ｂを有する左右の分割ヒンジ部７ａ・７ｂ、および分割把手１１を含めて、同一の成形金型で一体にブロー成形されており、
両表示板１Ａ・１Ｂを背中合わせにした折り畳み状態において、両者１Ａ・１Ｂ間の中央上方に各分割ヒンジ部７ａ・７ｂの軸筒９ａ・９ｂがそれぞれ位置しており、両表示板１Ａ・１Ｂが左右の各分割ヒンジ部７ａ・７ｂにおいて軸筒９ａ・９ｂ間に挿嵌した枢軸２・２で枢結されており、
両表示板１Ａ・１Ｂを枢結したとき、両者１Ａ・１Ｂ間の中央において分割把手１１・１１の握り部１３・１３が一直線状となり、両握り部１３・１３の延出端面１３ａ・１３ｂどうしが突き合わせ状に対向している標識具。
【請求項３】
一方の表示板１Ａの分割把手１１には、握り部１３の延出端面１３ａの中央に、ブロー成形時の残存突起１５が突出形成されており、
他方の表示板１Ｂの分割把手１１には、握り部１３の延出端面１３ａの中央に、ブロー成形時に突出形成された突起１５ａを切除することによって嵌合孔１６が形成されており、
一方の表示板１Ａの残存突起１５の中心と、前記枢軸２・２の中心とが、同一軸心上に位置して、残存突起１５が嵌合孔１６に回動自在に嵌合している請求項２記載の標識具。
【請求項４】
分割把手１１・１１の握り部１３・１３の上端が、分割ヒンジ部７ａ・７ｂの上端と面一状ないし下方に位置している請求項３記載の標識具。
【発明の詳細な説明】
【０００１】
【発明の属する技術分野】
本発明は、道路工事や建築工事などの現場において、進行方向を示す矢印や注意書きなどの情報を報知するために、路面上に設置される標識具に関する。
【０００２】
【従来の技術】
この種の標識具に関し、特許文献１では、前後一組の表示板と、両表示板どうしを上端において開閉自在に枢結する蝶番部材と、両表示板の上方中央部位に設けた把手と、少なくとも一方の表示板の外面に施された標識とを備えている。
【０００３】
【特許文献１】
特開２００１−２２６９２０号公報（段落番号０００６−００１４、図４）
【特許文献２】
特開２００１−２９５２２７号公報（段落番号００１２−００１６、図１）
【特許文献３】
実開昭６１−１９８３１４号公報（第４−６頁、第１図）
【特許文献４】
特開平７−３１０３０７号公報（段落番号０００９、図１）
【特許文献５】
意匠登録第７７０４６２号公報
【特許文献６】
意匠登録第１０１４５２１号公報
【特許文献７】
意匠登録第９７５８４５号公報
【特許文献８】
意匠登録第８８２４２２号公報
【特許文献９】
意匠登録第１０４４７５１号公報
【特許文献１０】
意匠登録第１００７５５２号公報
【特許文献１１】
意匠登録第８８４２２２０号公報
【０００４】
【発明が解決しようとする課題】
かかる標識具は、道路工事や建築工事などの現場に一時的に設置して使用されるものであるため、乱暴に取り扱われる傾向にある。従って、全体が耐衝撃性に優れた頑強な構造であることが第一義に要求される。
【０００５】
しかし、特許文献１などに開示の従来例では、前後の表示板に対して、蝶番部材や把手が後付けされる形態であるため、これらの部位が損傷を受け易い。表示板ないし蝶番部材をアルミニウム合金製にすることも検討されているが、製作コストが高く付き、凹み変形しやすい。かと言って、表示板を分厚いプラスチック成形品にすると、重量が大になり持ち運びに不便である。
【０００６】
そこで本発明は、軽量で強靭な標識具を提供することにある。本発明の目的は、安価に量産できる標識具を得るにある。
【０００７】
【課題を解決するための手段】
本発明の標識具は、例えば図１に示すごとく前後一組のプラスチック製の表示板１Ａ・１Ｂを有する。前後の表示板１Ａ・１Ｂは、表示板本体６の上端の左右に分割ヒンジ部７ａ・７ｂが形成されていて、同一の成形金型で中空状にブロー成形されている。両表示板１Ａ・１Ｂは、背中合わせにした状態で左右のヒンジ部７ａ・７ｂを介して開閉自在に枢結される。その枢結手段は特に限定されない。そのうえで、両表示板１Ａ・１Ｂの両ヒンジ部７ａ・７ｂ間に凹み１０が形成されており、この凹み１０に把手３が設けられている。ここでの把手３は表示板本体６と一体にプラスチック成形されていることを要しない。
【０００８】
更に具体的に説明すると、本発明の標識具は、前後一組のプラスチック製の表示板１Ａ・１Ｂと、両表示板１Ａ・１Ｂどうしを上端において開閉自在に枢結する枢軸２と、少なくとも一方の表示板１Ａの外面に施されるべき標識５とを含む。前後の各表示板１Ａ・１Ｂは、左右横長の四角形に形成された表示板本体６と、表示板本体６の上方の左右端部から上向きに突設された分割ヒンジ部７ａ・７ｂと、左右の分割ヒンジ部７ａ・７ｂの上端に左右に並べて設けた水平状の軸筒９ａ・９ｂと、左右の分割ヒンジ部７ａ・７ｂ間に形成された凹み１０と、この凹み１０において、表示板本体６の上端の左右の一側方から上向きに立ち上がる基部１２、および基部１２の上端から左右の他側方へ片持ち状に延びる握り部１３を有する分割把手１１とを含む。前後の各表示板１Ａ・１Ｂは、表示板本体６、軸筒９ａ・９ｂを有する左右の分割ヒンジ部７ａ・７ｂ、および分割把手１１を含めて、同一の成形金型で一体にブロー成形されている。両表示板１Ａ・１Ｂを背中合わせにした折り畳み状態において、両者１Ａ・１Ｂ間の中央上方に各分割ヒンジ部７ａ・７ｂの軸筒９ａ・９ｂがそれぞれ位置しており、両表示板１Ａ・１Ｂが左右の各分割ヒンジ部７ａ・７ｂにおいて軸筒９ａ・９ｂ間に挿嵌した枢軸２・２で枢結されている。両表示板１Ａ・１Ｂを枢結したとき、両者１Ａ・１Ｂ間の中央において分割把手１１・１１の握り部１３・１３が一直線状となり、両握り部１３・１３の延出端面１３ａ・１３ｂどうしが突き合わせ状に対向している。
【０００９】
一方の表示板１Ａの分割把手１１には、握り部１３の延出端面１３ａの中央に、ブロー成形時の残存突起１５が突出形成されたままにする。他方の表示板１Ｂの分割把手１１には、握り部１３の延出端面１３ａの中央に、ブロー成形時に突出形成された突起１５ａを切除することによって嵌合孔１６を形成する。そして、一方の表示板１Ａの残存突起１５の中心と、前記枢軸２・２の中心とが、同一軸心上に位置するようにして、残存突起１５を嵌合孔１６に回動自在に嵌合することができる。これによれば、分割把手１１・１１が連結合されているので、これを手にして全体を持ち上げたときに、分割把手１１・１１が変形し難く、外部衝撃からもよく耐えるものとなる。
【００１０】
分割把手１１・１１の握り部１３・１３の上端は、分割ヒンジ部７ａ・７ｂの上端と面一状ないし下方に位置していることが望ましい。これによれば、分割把手１１・１１が部分的に突出していないので、乱暴に取り扱われても損傷を受け難いものになる。
【００１１】
【発明の作用効果】
本発明の標識具は、前後の表示板１Ａ・１Ｂがブロー成形された中空状のプラスチック成形品であるから、軽量でかつ強靭である。従って、持ち運びに便利であり、乱暴に取り扱われても損傷を受け難く長期にわたって使用できる。前後の表示板１Ａ・１Ｂは同一の成形金型で同一形状に成形されるので、成形金型の作成費用が低減されて、標識具を安価に量産するに適している。とくに表示板本体６とともに、分割ヒンジ部７ａ・７ｂおよび分割把手１１が同一金型で一体にブロー成形されていると、部材点数が少なくて済み、安価に量産するのに有利である。
【００１２】
【発明の実施の形態】
図１ないし図７は、本発明に係る標識具を示しており、図１に示すごとく、前後一組の表示板１Ａ・１Ｂと、両表示板１Ａ・１Ｂどうしを上端において開閉自在に枢結する枢軸２と、両表示板１Ａ・１Ｂの上方中央部位に設けられる把手３と、両表示板１Ａ・１Ｂの下端にそれぞれ取り付けた滑り止め部材４・４とを含む。少なくとも一方の表示板１Ａの外面には標識５が施される。表示板１Ａ・１Ｂは、ポリエチレンなどのプラスチックで形成される。滑り止め部材４は、ゴムや塩化ビニルなどで形成される。
【００１３】
前後の各表示板１Ａ・１Ｂは、図２に示すごとく、左右横長の四角形に形成された表示板本体６と、表示板本体６の上方の左右端部から上向きに突設された分割ヒンジ部７ａ・７ｂと、左右の分割ヒンジ部７ａ・７ｂの上端内面に左右に並べて設けた水平状の軸筒９ａ・９ｂと、各表示板１Ａ・１Ｂの両ヒンジ部７ａ・７ｂ間に形成された左右方向中央部位の凹み１０と、この凹み１０において把手３を形成する分割把手１１とを含む。
【００１４】
前後の各表示板１Ａ・１Ｂは、表示板本体６、軸筒９ａ・９ｂを有する左右の分割ヒンジ部７ａ・７ｂ、および分割把手１１を含めて、ポリエチレンにて同一の成形金型で中空状にブロー成形されている。左側のヒンジ部７ａには、これの左右幅方向の中央に１本の軸筒９ａが半円形に突出形成され、右側のヒンジ部７ｂには、これの左右の幅方向の両端に水平の軸筒９ｂ・９ｂが２本間隔を設けて半円形に突出形成されている。これらの軸筒９ａ・９ｂはブロー成形によって中空状に仕上がっているから、成形後に各軸筒９ａ・９ｂの左右端壁に通孔を穿つことになる。
【００１５】
組み付けに際しては、前後の表示板１Ａ・１Ｂを背中合わせにして、両表示板１Ａ・１Ｂの内面どうしを重ね合わせた折り畳み状態にする。これで両者１Ａ・１Ｂ間の中央上方に、各分割ヒンジ部７ａ・７ｂの軸筒９ａ・９ｂがそれぞれ左右に並んで位置する。つまり、一方の表示板１Ａの左側のヒンジ部７ａにおいては、これの軸筒９ａが他方の表示板１Ｂの左側に位置する元は右側のヒンジ部７ｂの軸筒９ｂ・９ｂ間に入り込み（図４参照）、一方の表示板１Ａの右側のヒンジ部７ｂにおいては、これの軸筒９ｂ・９ｂ間に他方の表示板１Ｂの右側に位置する元は左側のヒンジ部７ａの軸筒９ａが入り込む。この状態で、図４に示すごとく、左右の各分割ヒンジ部７ａ・７ｂにおいて、３本の軸筒９ａ・９ｂ間にボルトからなる枢軸２を横外側方から挿嵌し、前記凹み１０側において各枢軸２の突出端にナット８を螺合し、これで各枢軸２の抜け止めを図る。
【００１６】
前後の両表示板１Ａ・１Ｂは、上端左右のヒンジ部７ａ・７ｂを前記枢軸２で連結した状態において、枢軸２まわりに下端側が前後方向に開閉自在となる。両表示板１Ａ・１Ｂを逆Ｖ字状に開いた状態において、図３に示すごとく、両表示板１Ａ・１Ｂの内面の上端どうしが接当して、両表示板１Ａ・１Ｂが５０°程度より大きく開かないようにしてある。
【００１７】
分割把手１１は、図２に示すごとく、前記凹み１０において、表示板本体６の上端の左右の一側方から上向きに立ち上がる基部１２と、この基部１２の上端から左右の他側方へ片持ち状に延びる握り部１３とを有する。分割把手１１・１１の握り部１３・１３の上端は、分割ヒンジ部７ａ・７ｂの上端と面一状ないし、これよりも沈むように位置している（図３参照）。
【００１８】
両表示板１Ａ・１Ｂを枢軸２で枢結したとき、両者１Ａ・１Ｂ間の中央において分割把手１１・１１の握り部１３・１３が一直線状となり、図５に示すごとく、両握り部１３・１３の延出端面１３ａ・１３ａどうしが突き合わせ状に対向する。
【００１９】
各表示板１Ａ・１Ｂの分割把手１１には、ブロー成形したとき握り部１３の延出端面１３ａの中央に、残存突起１５が突出形成されている。一方の表示板１Ａの分割把手１１には、前記突起１５を残存突起として残す。他方の表示板１Ｂの分割把手１１においては、前記突起１５を切除したのちは、握り部１３の延出端面１３ａの中央に嵌合孔１６を後加工する。この嵌合孔１６は、突起１５を切除した後の孔よりも少し大きめに穿って形成する。前後の表示板１Ａ・１Ｂを枢結した際には、一方の表示板１Ａの残存突起１５の中心と、前記枢軸２・２の中心とが同一軸心上に位置して、残存突起１５が嵌合孔１６に回動自在に嵌合する。
【００２０】
各表示板１Ａ・１Ｂの外面には、標識５が装着される装着面２１が凹設されている。図示例の標識５は、標識プレート５ａに矢印表示５ｂを入れてあり、表示板１Ａ・１Ｂに標識プレート５ａがビス止めされている。
【００２１】
補強のために両表示板１Ａ・１Ｂの内面には、多数の凹部２２が縦横に所定間隔で並べて形成されている。
【００２２】
各表示板１Ａ・１Ｂの外面の左右両端には、上下に縦長の凹部２３と凸部２４とを設けてある。これにより、図６に示すごとく、表示板１Ａ・１Ｂどうしを折り畳んだ標識具を横倒しにし、標識具の上下の向きを交互に逆にして重ねた場合に、ひとつの標識具の凹部２３と凸部２４とに他の標識具の凸部２４と凹部２３とがそれぞれ嵌合し、標識具を型崩れなく積み重ねることができるようになっている。
【００２３】
各表示板１Ａ・１Ｂの内面の下端寄りの左右には、図２に示すごとく、一対の凹部２５と凸部２６とが一体に設けられており、両表示板１Ａ・１Ｂを折り畳んだ状態で凹部２５と凸部２６とが凹凸嵌合して、両表示板１Ａ・１Ｂの横ずれなどを防止している。
【００２４】
滑り止め部材４は、図７に示すごとく、下面が凹凸状に形成された本体２７と、本体２７の上面から上向きに突設された溝付きの嵌合部２８とを有するゴム製の条材からなる。各表示板１Ａ・１Ｂの下端には、中実の取付片２９が一体に突出形成されており、取付片２９を嵌合部２８の溝に差し込んで鋲止めすることにより、各表示板１Ａ・１Ｂの下端に滑り止め部材４が左右長さ方向にわたって取り付けられている。
【００２５】
両表示板１Ａ・１Ｂの内面間には、左右一対のチェン３１が架け渡されている。各チェン３１の端は、各表示板１Ａ・１Ｂの内面の凹部２２にそれぞれ取り付けられており、チェン３１で両表示板１Ａ・１Ｂの開き限界が規制されている。両表示板１Ａ・１Ｂを折り畳んだとき、チェン３１は凹部２２内に納まる。
【００２６】
図示例の全容は、以上のようになっているが、１本の枢軸２を左右の間にわたって貫通状に通し、凹み１０において枢軸２が把手３を構成するようにしてもよい。
【図面の簡単な説明】
【図１】全体の斜視図
【図２】構成部材の分解斜視図
【図３】ヒンジ部の縦断側面図
【図４】図３のＡ−Ａ線断面図
【図５】正面図
【図６】標識具を重ねた状態での側面図
【図７】使用状態での側面図
【符号の説明】
１Ａ・１Ｂ  表示板
２  枢軸
３  把手
５  標識
６  表示板本体
７ａ・７ｂ  分割ヒンジ部
９ａ・９ｂ  軸筒
１０  凹み
１１  分割把手
１２  基部
１３  握り部
１３ａ  延出端面
１５  残存突起
１６  嵌合孔
【図１】
2004257018.tif 000003
【図２】
2004257018.tif 000004
【図３】
2004257018.tif 000005
【図４】
2004257018.tif 000006
【図５】
2004257018.tif 000007
【図６】
2004257018.tif 000008
【図７】
2004257018.tif 000009